(57)【要約】【課題】  光ファイバ型カプラを利用して、光ファイバ型部品の利点を生かしつつ、高機能な一心双方向光送受信特性を得ることができる一心双方向光送受信モジュールの提供。【解決手段】  少なくとも入出力用ピグテールファイバ２２と入力用ピグテールファイバ２３と出力用ピグテールファイバ２４とを有する光ファイバ型カプラと、該光ファイバ型カプラの入力用ピグテールファイバ及び出力用ピグテールファイバに接続されたフェルール２５，２６と、発光素子を有し入力側のフェルールとメカニカル接続される光送信モジュール部と、受光素子を有し出力側のフェルールとメカニカル接続される光受信モジュール部と、該光受信モジュール部内のピグテールファイバ端面と受光素子の間にこれらの光軸に対し略垂直に設けられた誘電体多層膜フィルタ３３とを備えたことを特徴とする一心双方向光送受信モジュール２０。【選択図】  図１
2006072191.tif 000002
【特許請求の範囲】
【請求項１】
少なくとも入出力用ピグテールファイバと入力用ピグテールファイバと出力用ピグテールファイバとを有する光ファイバ型カプラと、該光ファイバ型カプラの入力用ピグテールファイバ及び出力用ピグテールファイバに接続されたフェルールと、発光素子を有し入力側のフェルールとメカニカル接続される光送信モジュール部と、受光素子を有し出力側のフェルールとメカニカル接続される光受信モジュール部と、該光受信モジュール部内のピグテールファイバ端面と受光素子の間にこれらの光軸に対し略垂直に設けられた誘電体多層膜フィルタとを備えたことを特徴とする一心双方向光送受信モジュール。
【請求項２】
前記誘電体多層膜フィルタが、前記フェルールの端面に接着固定されていることを特徴とする請求項１に記載の一心双方向光送受信モジュール。
【請求項３】
前記誘電体多層膜フィルタの接着固定に用いる接着剤が、前記ピグテールファイバと誘電体多層膜フィルタと同等又はこれらの中間の屈折率を有していることを特徴とする請求項２に記載の一心双方向光送受信モジュール。
【請求項４】
請求項１〜３のいずれかに記載の一心双方向光送受信モジュールと、該一心双方向光送受信モジュールの入出力用ピグテールファイバに接続された送受信用光ファイバとを有することを特徴とする双方向光通信システム。
【発明の詳細な説明】
【技術分野】
【０００１】
本発明は、一本の光ファイバを用い、送信と受信で異なる波長の光信号を用いる光通信システムの送受信部に使用される一心双方向光送受信モジュール及びそれを用いた双方向光通信システムに関する。本発明の一心双方向光送受信モジュールは、光ファイバ型カプラを利用して、光ファイバ型部品の利点を生かしつつ、高機能な一心双方向光送受信を得ることができる。
【背景技術】
【０００２】
従来、一心双方向光送受信モジュールとしては、（１）光ファイバ型カプラを使用したもの、（２）４５度配置の誘電体多層膜フィルタを使用したもの（例えば、特許文献１参照）が提案されている。
【０００３】
前記（１）光ファイバ型カプラを使用した一心双方向光送受信モジュールは、図２に示すように、光ファイバ型カプラとしてのＷＤＭ光ファイバカプラ１と、その入力用ピグテールファイバ３に接続された発光素子を有する光送信モジュール部５と、出力用ピグテールファイバ４に接続された受光素子を有する光受信モジュール部６とから構成されている。ＷＤＭ光ファイバカプラ１の入出力用ピグテールファイバ２には、送受信用光ファイバが接続される。また、ピグテールファイバ３，４と光送信モジュール部５及び光受信モジュール部６からの光ファイバとは融着接続部７によって接続されている。この一心双方向光送受信モジュールは、送受信用光ファイバを通して送られる信号がＷＤＭ光ファイバカプラ１によって出力用ピグテールファイバ４側を通して光受信モジュール部６に送られ、光送信モジュール部５から入力用ピグテールファイバ３を通して送られる受信信号と異なる波長の送信信号は、ＷＤＭ光ファイバカプラ１によって送受信用光ファイバに結合され、一心双方向光送受信を行えるようになっている。
【０００４】
前記（２）４５度配置の誘電体多層膜フィルタを使用した一心双方向光送受信モジュールは、送信用レーザーダイオード（以下、ＬＤと記す。）１１からの光信号を光ファイバ１０に導くと共に、光ファイバ１０を通して送られてきた光信号を受信用フォトダイオード（以下、ＰＤと記す。）１２に導くために、光ファイバ１０とＬＤ１１、ＰＤ１２の間に誘電体多層膜フィルタ１３を配置し、それぞれの波長の違いにより光信号の経路を分けるように構成されている。例えば、ＬＤ１１からの信号光は、誘電体多層膜フィルタ１３を透過して光ファイバ１０へ結合され、光ファイバ１０からの信号光は、誘電体多層膜フィルタ１３で反射されてＰＤ１２へ導かれる。但し、光ファイバ１０からの信号光や、ＬＤ１１からの信号光は、そのままでは広がりが大きいため、図３に示すように誘電体多層膜フィルタ１３の他に１つ以上のレンズ１４，１５を加えることで集光することが一般的である。
【特許文献１】特許第２７５７３５０号公報
【発明の開示】
【発明が解決しようとする課題】
【０００５】
（１）の一心双方向光送受信モジュールにおいて、一般にＷＤＭ光ファイバカプラ１では、アイソレーションが波長に対してｓｉｎ２特性を持つため、広い波長帯域で高いアイソレーションを確保することが困難である。特に、ＩＴＵ−Ｔ  Ｒｅｃｏｍｍｅｎｄａｔｉｏｎ  Ｇ９８３．３で規定される光加入者終端装置の受信側のように、１２６０〜１３６０ｎｍ、１５５０〜１５６０ｎｍ、１６５０ｎｍ〜１６６０ｎｍといった広い波長帯域に渡って十分なアイソレーションを確保するのは実際上極めて難しい。対策としては、例えばＷＤＭ光ファイバカプラ１と光受信モジュール部６の間にインラインフィルタを融着等で挿入すること、あるいはＷＤＭ光ファイバカプラ１を多段に重ねることが考えられるが、そのような方法では光ファイバの取り回しや融着が必要となり、その結果、光送受信モジュール全体の寸法が大きくなる、製造の工数が増加するといった問題が生じる。
また、前述のような一心双方向光送受信モジュールは、元々ＷＤＭ光ファイバカプラ１のピグテールファイバ３，４と光送信モジュール部５、光受信モジュール部６とをそれぞれ融着して接続するため、製造にかかる工数が多いほか、実装面積も大きくなるという問題がある。
【０００６】
また、（２）の一心双方向光送受信モジュールにおいて、該モジュールは寸法としては非常に小さく構成でき、実装面積も小さくて済むが、ＬＤ１１とＰＤ１２の光軸が直角になるように実装し、さらにこれらと４５度をなすように誘電体多層膜フィルタ１３を実装する必要があり、製造工程が極めて複雑であるとともに、使用する部材も精密加工が必要となり、製造コストが嵩む問題がある。また、レンズ系を使用する場合、光ファイバと受光素子の間に４５度配置の誘電体多層膜フィルタ１３を入れる空間が必要となるため、光学系設計の自由度が低いという問題がある。
【０００７】
本発明は前記事情に鑑みてなされ、光ファイバ型カプラを利用して、光ファイバ型部品の利点を生かしつつ、高機能な一心双方向光送受信特性を得ることができる一心双方向光送受信モジュールの提供を目的とする。
【課題を解決するための手段】
【０００８】
前記目的を達成するため、本発明は、少なくとも入出力用ピグテールファイバと入力用ピグテールファイバと出力用ピグテールファイバとを有する光ファイバ型カプラと、該光ファイバ型カプラの入力用ピグテールファイバ及び出力用ピグテールファイバに接続されたフェルールと、発光素子を有し入力側のフェルールとメカニカル接続される光送信モジュール部と、受光素子を有し出力側のフェルールとメカニカル接続される光受信モジュール部と、該光受信モジュール部内のピグテールファイバ端面と受光素子の間にこれらの光軸に対し略垂直に設けられた誘電体多層膜フィルタとを備えたことを特徴とする一心双方向光送受信モジュールを提供する。
【０００９】
本発明の一心双方向光送受信モジュールにおいて、前記誘電体多層膜フィルタが、前記フェルールの端面に接着固定されていることが好ましい。
【００１０】
本発明の一心双方向光送受信モジュールにおいて、前記誘電体多層膜フィルタの接着固定に用いる接着剤が、前記ピグテールファイバと誘電体多層膜フィルタと同等又はこれらの中間の屈折率を有していることが好ましい。
【００１１】
また本発明は、前述した本発明に係る一心双方向光送受信モジュールと、該一心双方向光送受信モジュールの入出力用ピグテールファイバに接続された送受信用光ファイバとを有することを特徴とする双方向光通信システムを提供する。
【発明の効果】
【００１２】
本発明の一心双方向光送受信モジュールは、光ファイバ型カプラを用いた一心双方向光送受信モジュールにおいて、光受信モジュール部内のピグテールファイバ端面と受光素子の間にこれらの光軸に対し略垂直に誘電体多層膜フィルタを設けた構成としたので、光ファイバ型カプラ単独では不足するアイソレーションを確保できる。
また、入力用ピグテールファイバ及び出力用ピグテールファイバのそれぞれの端部にフェルールを接続し、これらのフェルールを光送信モジュール部と光受信モジュール部にメカニカル接続する構成としたので、光送信モジュール部と光受信モジュール部を同軸型の構造とすることにより、受発光素子を調心固定する作業をする際、光ファイバ型カプラを調心装置にセットする必要がなくなり、光ファイバ型カプラが破損し難くなる。これにより、各ピグテールファイバの加工形状について、調心固定作業の影響を考慮する必要がなくなり、ピグテールファイバの許容曲げ径による制約が許す範囲で光ファイバ型カプラと光送信モジュール部、光受信モジュール部の間の距離を短くすることができる。
また、調心の自由度が増し、例えば受発光素子を画像観察しながら調心を行う画像調心も可能となる。
また、発光素子調心と受光素子調心を別々の装置で行ってから、まとめて光ファイバ型カプラとの組み立てを行うことで、全体の製作にかかる時間を短縮できる。
また、誘電体多層膜フィルタを光受信モジュール部内のフェルール端面に接着固定したことによって、光受信モジュール部内に該誘電体多層膜フィルタを保持するための構造が不要となり、同軸型構造を生かしたままで光受信モジュール部内に誘電体多層膜フィルタを挿入できる。
また、ピグテールファイバ端面に最も近い場所に誘電体多層膜フィルタを取り付けることになるため、誘電体多層膜フィルタの面積が最小で済む。
また、誘電体多層膜フィルタの接着固定に用いる接着剤として、ピグテールファイバと誘電体多層膜フィルタと同等又はこれらの中間の屈折率を有する接着剤を用いることで、ファイバ端面などでの反射を抑制できる。
また、本発明の双方向光通信システムは、前述した本発明に係る一心双方向光送受信モジュールと、該一心双方向光送受信モジュールの入出力用ピグテールファイバに接続された送受信用光ファイバとを有する構成としたので、小型、高性能で安価な双方向光通信システムを実現できる。
【発明を実施するための最良の形態】
【００１３】
以下、図面を参照して本発明の実施形態を説明する。
図１は、本発明の一心双方向光送受信モジュールの一実施形態を示す構成図であり、図中符号２０は一心双方向光送受信モジュール、２１は光ファイバ型カプラとして用いたＷＤＭ光ファイバカプラ、２２は入出力用ピグテールファイバ、２３は入力用ピグテールファイバ、２４は出力用ピグテールファイバ、２５及び２６はフェルール、２７は発光素子としてのＬＤ、２８は光送信モジュール部としてのＴＯＳＡ（Transmitter Optical Sub-Assembly）、２９はＴＯＳＡ用バレル部材、３０は受光素子としてのＰＤ、３１は光受信モジュール部としてのＲＯＳＡ（Receiver Optical Sub-Assembly）、３２はＲＯＳＡ用バレル部材、３３は誘電体多層膜フィルタとしてのバンドパスフィルタ、３４は入出力用ピグテールファイバ２２に成端された光コネクタである。
【００１４】
本実施形態の一心双方向光送受信モジュール２０は、少なくとも入出力用ピグテールファイバ２２と入力用ピグテールファイバ２３と出力用ピグテールファイバ２４とを有するＷＤＭ光ファイバカプラ２１と、このＷＤＭ光ファイバカプラ２１の入力用ピグテールファイバ２３及び出力用ピグテールファイバ２４に接続されたフェルール２５，２６と、ＬＤ２７を有し入力側のフェルール２５とメカニカル接続されたＴＯＳＡ２８と、ＰＤ３０を有し出力側のフェルール２６とメカニカル接続されたＲＯＳＡ３１と、このＲＯＳＡ３１内の出力用ピグテールファイバ２４端面とＰＤ３０の間にこれらの光軸に対し略垂直に設けられたバンドパスフィルタ３３とを備えて構成されている。
【００１５】
前記ＷＤＭ光ファイバカプラ２１（ＷＤＭカプラ（Wavelength Division Multiplexing Coupler）などとも称される。）は、異なる波長の２つの光信号、例えば、双方向光通信システムにおいて用いられる波長１３１０ｎｍ帯及び波長１５５０ｎｍ帯などの信号光の合分波が可能な従来公知の各種光ファイバ型カプラの中から、使用波長帯域の合分波特性などに応じて適宜選択して用いることができる。
【００１６】
このＷＤＭ光ファイバカプラ２１の入出力ポート（図１においてＷＤＭ光ファイバカプラ２１の左側のポート）、入力ポート（図１においてＷＤＭ光ファイバカプラ２１の右上側のポート）及び出力ポート（図１においてＷＤＭ光ファイバカプラ２１の右下側のポート）は、それぞれ入出力用ピグテールファイバ２２、入力用ピグテールファイバ２３及び出力用ピグテールファイバ２４になっている。
【００１７】
これらのピグテールファイバのうち、入力用ピグテールファイバ２３及び出力用ピグテールファイバ２４の端部には、それぞれフェルール２５，２６が設けられている。これらのフェルール２５，２６は、光コネクタ等を用いて光ファイバ端面同士を突き合わせてメカニカル接続する際に用いられる金属やセラミック（ジルコニアなど）からなるフェルールなどを用いることができる。これらのフェルール２５，２６は、入力用ピグテールファイバ２３及び出力用ピグテールファイバ２４の端部を挿入、固定した状態で、これらのファイバと同軸となる円筒状をなしている。これらのフェルール２５，２６の接続用端面には、入力用ピグテールファイバ２３及び出力用ピグテールファイバ２４の端面が露出している。
【００１８】
前記ＴＯＳＡ２８は、ＴＯＳＡ用バレル２９の一端側にＬＤ２７が設けられ、他端側に入力側のフェルール２５が同軸で嵌着保持され、該フェルール２５がメカニカル接続された構造になっている。このＬＤ２７は光ファイバとの結合用のレンズが設けられたＴＯ−ＣＡＮタイプになっている。ＴＯＳＡ用バレル２９の一端側に設けられたＬＤ２７の光軸は、ＴＯＳＡ用バレル２９の軸線と同軸になるように配置されており、ＴＯＳＡ用バレル２９の他端側にフェルール２５を嵌着してＬＤ２７を発光させることで、ＬＤ２７からの光がフェルール２５の端面に露出している入力用ピグテールファイバ２３の端面から入射されるようになっている。
【００１９】
前記ＲＯＳＡ３１は、ＲＯＳＡ用バレル３２の一端側にＰＤ３０が設けられ、他端側に出力側のフェルール２６が同軸で嵌着保持され、該フェルール２６がメカニカル接続された構造になっている。このＰＤ３０は光ファイバとの結合用のレンズが設けられたＴＯ−ＣＡＮタイプになっている。ＲＯＳＡ用バレル３２の一端側に設けられたＰＤ３０の光軸は、ＲＯＳＡ用バレル３２の軸線と同軸になるように配置されており、ＲＯＳＡ用バレル３２の他端側にフェルール２６を嵌着することで、出力用ピグテールファイバ２４を通して伝搬される信号光がＰＤ３０の受光端面に照射されるようになっている。
【００２０】
このＲＯＳＡ用バレル３２内には、出力用ピグテールファイバ２４の光軸に対して略垂直に誘電体多層膜型のバンドパスフィルタ３３が挿入されている。このように、ＷＤＭカプラ２１を使用した双方向光送受信モジュールの、同軸型光受信モジュールであるＲＯＳＡ３１内部の光軸上に、該光軸に対して略垂直に誘電体多層膜型のバンドパスフィルタ３３を挿入することで、一心双方向光送受信モジュール２０に必要なアイソレーションを確保するようになっている。
【００２１】
この誘電体多層膜型のバンドパスフィルタ３３を挿入する方法としては、出力用ピグテールファイバ２４に取り付けたフェルール２６先端にバンドパスフィルタ３３を接着固定する方法が望ましい。このフェルール２６先端にバンドパスフィルタ３３を接着固定することで、ＲＯＳＡ用バレル３２部分にフィルタ保持のための構造を持たせることなくバンドパスフィルタ３３を挿入固定することができる。また、出力用ピグテールファイバ２４端部に取り付けたフェルール２６先端にバンドパスフィルタ３３を接着固定する構造であるため、バンドパスフィルタ３３の面積が最小で済む。
【００２２】
この接着に用いる接着剤としては、屈折率が出力用ピグテールファイバ２４のクラッド部やバンドパスフィルタ３３の基材に使われている石英ガラスと同等の屈折率を持つものが好ましい。なお、この接着剤としては、ＲＯＳＡ３１が受信すべき信号を透過することが必要であり、接着剤が出力用ピグテールファイバ２４とバンドパスフィルタ３３の間に充填される場合には、出力用ピグテールファイバ２４のクラッド部やバンドパスフィルタ３３の基材と同じか、又はこれらの間の屈折率をもつ接着剤を用いることが望ましい。
【００２３】
さらに、誘電体多層膜型のバンドパスフィルタ３３のフィルタ面を受光素子であるＰＤ３０側に向け、フィルタ裏面と出力用ピグテールファイバ２４端面の間を、屈折率整合をとった樹脂を用いて接着固定することで、フィルタ裏面のＡＲコートを不要にするとともに、反射を低減することができる。
また、この方法では、出力用ピグテールファイバ２４とレンズ付きのＰＤ３０との間に存在している隙間にバンドパスフィルタ３３を挿入しているので、寸法への影響がほとんどない。
【００２４】
この一心双方向光送受信モジュール２０において、入力用ピグテールファイバ２３とＴＯＳＡ２８との接続部、及び出力用ピグテールファイバ２４とＲＯＳＡ３１との接続部のそれぞれの接続部の構造としては、入力用ピグテールファイバ２３及び出力用ピグテールファイバ２４のぞれぞれの端部に、予め精密なフェルール２５，２６を取り付けておくとともに、ＴＯＳＡ２８及びＲＯＳＡ３１のそれぞれの嵌着部側は、そのフェルール２５，２６に再現性よく嵌合するスリーブ状の機構を持ったバレル構造（いわゆる同軸型のＴＯＳＡ，ＲＯＳＡなどと称される。）を採用している。ＴＯＳＡ２８及びＲＯＳＡ３１は、ぞれぞれ別工程で調心作業を行い、各ピグテールファイバ２３，２４に取り付けたフェルール２５，２６を挿入することで光結合を確保することができる。図中のＷＤＭ光ファイバカプラ２１右端からフェルール２５，２６左端部分までの長さは１５ｍｍ程度となっている。
【００２５】
このような同軸型のＴＯＳＡ２８，ＲＯＳＡ３１を用いた構造とすることにより、ＬＤ２７及びＰＤ３０を調心固定する作業をする際、ＷＤＭ光ファイバカプラ２１を調心装置にセットする必要がなくなり、ＷＤＭ光ファイバカプラ２１が破損し難くなる。これにより、カプラピグテール部の加工形状について、調心固定作業の影響を考慮する必要がなくなり、各ピグテールファイバの許容曲げ径による制約が許す範囲でＷＤＭ光ファイバカプラ２１とＴＯＳＡ２８及びＲＯＳＡ３１との間の距離を短くすることができる。
また、調心の自由度が増し、例えばＬＤ２７及びＰＤ３０を画像観察しながら調心を行う画像調心も可能となる。
また、ＬＤ２７調心、ＰＤ３０調心を別々の装置で行ってから、まとめてＷＤＭ光ファイバカプラ２１、ＴＯＳＡ２８及びＲＯＳＡ３１との組み立てを行うことで、全体の製作にかかる時間を短縮できる。ＣＡＮタイプのＬＤ２７やＰＤ３０を使用する場合、ＴＯＳＡ２８及びＲＯＳＡ３１のバレル部分を精度の確保が容易な同軸構造で作ることができるので特に好ましい。
【００２６】
前記ＷＤＭ光ファイバカプラ２１の入出力用ピグテールファイバ２２の端部には、送受信用光ファイバ（図示せず）との接続用の光コネクタ３４が成端されている。
この一心双方向光送受信モジュール２０の光コネクタ３４と、送受信用光ファイバに設けられた図示しない光コネクタとを接続することで、小型、高性能で安価な双方向光通信システムを実現できる。
【００２７】
次に、この一心双方向光送受信モジュール２０の製造工程の一例を記す。
・ＷＤＭ光ファイバカプラ２１の入出力用ピグテールファイバ２２に光コネクタ３４を取り付ける。
・ＷＤＭ光ファイバカプラ２１の入力用ピグテールファイバ２３及び出力用ピグテールファイバ２４を、カプラ本体から２５ｍｍ程度離間した位置で切断し、先端から１０ｍｍ程度までをフェルール２５，２６に挿入固定する。
・別途、ＬＤ２７をＴＯＳＡ用バレル２９に調心固定するとともに、ＰＤ３０をＲＯＳＡ用バレル３２に調心固定し、ＴＯＳＡ２８及びＲＯＳＡ３１を準備する。
・出力用ピグテールファイバ２４側のフェルール２６先端にバンドパスフィルタ３３を接着固定する。
・ＷＤＭ光ファイバカプラ２１の入力用ピグテールファイバ２３及び出力用ピグテールファイバ２４に取り付けたそれぞれのフェルール２５，２６をＴＯＳＡ２８及びＲＯＳＡ３１に挿入し固定する。
【００２８】
なお、本発明は前述した実施形態にのみ限定されるものではなく、種々変更が可能である。
例えば、ピグテールファイバ端面での反射対策として、ＴＯＳＡ側の入力用ピグテールファイバ２３端面を斜めにカットしてもよい。この場合、フェルール２５とＴＯＳＡ２８を取り付ける際に、軸に沿った回転角度を一定に保つ必要があるため、ＴＯＳＡ用バレル２９と入力用ピグテールファイバ２３双方に角度を定めるための機構を設けることが望ましい。また、斜めカットを行うのは、ＴＯＳＡ側に限られたことではなく、ＲＯＳＡ側も斜めカットを行ってもよい。あるいは、ＴＯＳＡ側の反射対策として入力用ピグテールファイバ側フェルール先端に反射防止用のフィルタを取り付けてもよい。
【実施例】
【００２９】
図１に示す構造の一心双方向光送受信モジュール２０を作製した。
この一心双方向光送受信モジュール２０は、ＷＤＭ光ファイバカプラ２１、光コネクタ３４、ＴＯＳＡ２８及びＲＯＳＡ３１とから構成されている。波長合分波は、誘電体多層膜フィルタ素子に代えてＷＤＭ光ファイバカプラ２１により行う。ＷＤＭ光ファイバカプラ２１のピグテールファイバのうち、入力用ピグテールファイバ２３及び出力用ピグテールファイバ２４の端部には、高精度のフェルール２５，２６が取り付けられている。また入出力用ピグテールファイバ２２の端部には光コネクタ３４が取り付けられている。
【００３０】
予めバレル２９，３２とＬＤ２７又はＰＤ３０とを固定したＴＯＳＡ２８、ＲＯＳＡ３１を準備しておき、入力用ピグテールファイバ２３及び出力用ピグテールファイバ２４の端部に取り付けたフェルール２５，２６をＴＯＳＡ２８、ＲＯＳＡ３１に挿入固定してＷＤＭ光ファイバカプラ２１との光結合を行う。このように、従来の空間配置のモジュールでコスト低減に課題があった光ファイバと受発光素子との結合部に、高い精度の確保が容易な同軸型のＴＯＳＡ、ＲＯＳＡ構造を採用することにより、部材コストと実装コストの最適化を図っている。
【００３１】
ＧＥ−ＰＯＮシステムのＯＮＵでは、データ通信に使用される上り信号（１３１０ｎｍ帯）、下り信号（１４９０ｎｍ帯）のほか、映像信号（１５５０ｎｍ帯）や監視光も受信モジュールに入射する（ITU-T Recommendation, A broadband optical access system with increased service capability by wavelength allocation, G983.3,2001）。これらの入射光のうち、１４９０ｎｍ帯以外の光信号は受信モジュール部に対するノイズ源となるので除去する必要がある。通常ＷＤＭ光ファイバカプラのアイソレーションは強い波長依存性を持つため、広い波長範囲にわたって高いアイソレーションを確保することは困難である。そこで、本実施例では、ＰＤ３０と出力用ピグテールファイバ２４の間にバンドパスフィルタ３０を挿入し、必要なアイソレーションを確保した。
【００３２】
試作した一心双方向光送受信モジュール２０の光学特性を測定し、その結果をバンドパスフィルタを使用しないモジュールと比較して表１に示す。なお、表１において「フィルタなし」は、ＲＯＳＡ３１内にバンドパスフィルタ３３を挿入していない比較例のモジュールであり、また「フィルタあり」は、図１に示す通り、ＲＯＳＡ３１内にバンドパスフィルタ３３を挿入した本実施例の一心双方向光送受信モジュール２０の結果を示している。
【００３３】
【表１】
2006072191.tif 000003
【００３４】
表１の結果から、本実施例の一心双方向光送受信モジュール２０は、ＷＤＭ光ファイバカプラ２１とバンドパスフィルタ３３を組み合わせたことで、受信波長での挿入損失増加を０．１２ｄＢに抑えながら、１３１０ｎｍ帯でのアイソレーションを４５ｄＢ以上まで改善することができた。
【図面の簡単な説明】
【００３５】
【図１】本発明の一心双方向光送受信モジュールの一実施形態を示す構成図である。
【図２】従来の一心双方向光送受信モジュールの一例を示す構成図である。
【図３】従来の一心双方向光送受信モジュールの別な例を示す構成図である。
【符号の説明】
【００３６】
２０…一心双方向光送受信モジュール、２１…ＷＤＭ光ファイバカプラ（光ファイバ型カプラ）、２２…入出力用ピグテールファイバ、２３…入力用ピグテールファイバ、２４…出力用ピグテールファイバ、２５，２６…フェルール、２７…ＬＤ（発光素子）、２８…ＴＯＳＡ（光送信モジュール部）、２９…ＴＯＳＡ用バレル部材、３０…ＰＤ（受光素子）、３１…ＲＯＳＡ（光受信モジュール部）、３２…ＲＯＳＡ用バレル部材、３３…バンドパスフィルタ（誘電体多層膜フィルタ）、３４…光コネクタ。
【図１】
2006072191.tif 000004
【図２】
2006072191.tif 000005
【図３】
2006072191.tif 000006